(57)【要約】【課題】相手端末に適応した画像データを送信可能な携帯端末を提供する。【解決手段】アンテナを介して信号を送受信可能な通信手段と、メールアドレスと、前記メールアドレスに送付するファイルのフォーマットを示すファイル情報を対応付けて記憶可能なアドレス情報記憶手段と、通信キャリアに対応したファイル情報を記憶するファイル情報記憶手段と、前記アドレス情報記憶手段に記憶されたメールアドレスの中から１つのメールアドレスを選択する選択手段と、前記選択されたメールアドレスの通信キャリア名を入力する入力手段と、前記入力手段により入力された通信キャリアが入力されたとき、前記ファイル情報記憶手段から対応したファイル情報を読み出し、前記選択されたメールアドレスと対応付けて前記アドレス情報記憶手段に記憶するように制御する制御手段と、を備える。【選択図】  図１
2004297434.tif 000002
【特許請求の範囲】
【請求項１】
アンテナを介して信号を送受信可能な通信手段と、
メールアドレスと、前記メールアドレスに送付するファイルのフォーマットを示すファイル情報を対応付けて記憶可能なアドレス情報記憶手段と、
通信キャリアに対応したファイル情報を記憶するファイル情報記憶手段と、
前記アドレス情報記憶手段に記憶されたメールアドレスの中から１つのメールアドレスを選択する選択手段と、
前記選択されたメールアドレスの通信キャリア名を入力する入力手段と、
前記入力手段により入力された通信キャリアが入力されたとき、前記ファイル情報記憶手段から対応したファイル情報を読み出し、前記選択されたメールアドレスと対応付けて前記アドレス情報記憶手段に記憶するように制御する制御手段と、を備えていることを特徴とする携帯端末装置。
【請求項２】
前記ファイル情報記憶手段にユーザが入力した通信キャリアのファイル情報が記憶されていないとき、前記通信手段を介して、前記通信キャリアのファイル情報を取得することを特徴とする請求項１に記載の携帯端末装置。
【請求項３】
前記ファイル情報は、画像フォーマット、画像サイズ、ファイルサイズの何れかを含むことを特徴とする請求項１または２に記載の携帯端末装置。
【請求項４】
前記通信手段により他の装置からメールを受信したとき、前記制御手段は、前記メールに含まれるファイル情報と前記他の装置のメールアドレスとを対応付けて前記アドレス情報記憶手段に記憶するように制御することを特徴とする請求項１ないし３のいずれかに記載の携帯端末装置。
【請求項５】
前記アドレス情報記憶手段は、前記通信手段により受信したメールに含まれる名前と電話番号とメールアドレスを記憶することを特徴とする請求項１に記載の携帯端末装置。
【請求項６】
前記携帯端末装置は、微弱電波あるいは赤外線を用いた近距離通信手段を備え、
前記アドレス情報記憶手段は、前記通信手段により受信したメールに含まれる名前と電話番号とメールアドレスを記憶することを特徴とする請求項１に記載の携帯端末装置。
【請求項７】
前記アドレス情報記憶手段は、前記通信手段により受信したメール本文に含まれる個人情報を記憶することを特徴とする請求項１に記載の携帯端末装置。
【請求項８】
前記アドレス情報記憶手段は、前記通信手段により受信したメールの添付ファイルに含まれる個人情報を記憶することを特徴とする請求項１に記載の携帯端末装置。
【請求項９】
前記携帯端末装置は、微弱電波あるいは赤外線を用いた近距離通信手段を備え、前記アドレス情報記憶手段は、前記通信手段により受信したメール本文に含まれる個人情報を記憶することを特徴とする請求項１に記載の携帯端末装置。
【請求項１０】
前記携帯端末装置は、微弱電波あるいは赤外線を用いた近距離通信手段を備え、前記アドレス情報記憶手段は、前記通信手段により受信したメールの添付ファイルに含まれる個人情報を記憶することを特徴とする請求項１に記載の携帯端末装置。
【請求項１１】
前記個人情報は、名前、電話番号、メールアドレスの何れかを含むことを特徴とする請求項７ないし１０のいずれかに記載の携帯端末装置。
【発明の詳細な説明】
【０００１】
【発明の属する技術分野】
本発明は、音声通信およびデータ通信を行う携帯端末装置に関する。
【０００２】
【従来の技術】
相手端末で画像データが表示されないなどといった不具合を回避できる通信端末を提供することを目的として、電話帳メモリから相手端末の表示部情報を検出し、その表示部情報に適応した画像データを送信する通信端末が、特許文献１に記載されている。
【０００３】
【特許文献１】
特開２００２−３２４０２８号公報
【０００４】
【発明が解決しようとする課題】
上記公報に記載の発明では、相手端末からの画像データ受信時に行うことにしているが、画像データ自体を受信できない場合には電話帳メモリに登録できず、相手端末に適応した画像データを送信できないことになる。
【０００５】
そこで、本願発明は、相手端末に適応した画像データを送信可能な携帯端末を提供することを目的とする。
【０００６】
【課題を解決するための手段】
上記課題を解決するために、アンテナを介して信号を送受信可能な通信手段と、メールアドレスと、前記メールアドレスに送付するファイルのフォーマットを示すファイル情報を対応付けて記憶可能なアドレス情報記憶手段と、通信キャリアに対応したファイル情報を記憶するファイル情報記憶手段と、前記アドレス情報記憶手段に記憶されたメールアドレスの中から１つのメールアドレスを選択する選択手段と、前記選択されたメールアドレスの通信キャリア名を入力する入力手段と、前記入力手段により入力された通信キャリアが入力されたとき、前記ファイル情報記憶手段から対応したファイル情報を読み出し、前記選択されたメールアドレスと対応付けて前記アドレス情報記憶手段に記憶するように制御する制御手段と、を備える。
【０００７】
【発明の実施の形態】
まず図１を用いて、第１の実施形態における携帯電話の各部動作を説明する。なお、携帯電話は通信端末装置の一例であって、ＰＤＡ（Ｐｅｒｓｏｎａｌ  Ｄｉｇｉｔａｌ  Ａｓｓｉｓｔａｎｃｅ）等のほかの装置に本発明を適用しても良い。
【０００８】
１はアンテナ、２は音声信号や映像信号の送受信を行う無線回路、３は符号復号処理部、４はマイク、５はレシーバである。６はＬＣＤ（Ｌｉｑｕｉｄ  Ｃｒｙｓｔａｌ  Ｄｉｓｐｌａｙ）などの表示部、７は番号や文字を入力するダイヤルキーや、カーソルの移動指示や機能選択を行うための機能キー等のキー入力部である。但し、表示部６をタッチパネル式にし、ユーザが表示部６を指またはペンによりタッチすることにより、文字入力や機能選択を行うようにしても良い、これにより、キー操作に慣れていない場合であっても、容易に入力操作を行うことができる。
【０００９】
８はＲＡＭ等の記憶部であり、９はＣＰＵなどの制御部である。記憶部８は、制御部９の制御方法の記憶や処理の一時記憶に使用する。１０はスピーカ、１１はカメラ等の撮影部であり、１２は取外し可能なメモリカード等の記憶媒体であり、１３はメールに添付するデータを変換する為のデータ変換部である。なお、本実施形態では、記憶部８と記憶媒体１２を備えているが、いずれか一方を設けるようにしても良い。
【００１０】
アンテナ１は、空中を伝送されてきた電波を受信し、高周波電気信号に変換し、無線回路２に入力する。また、アンテナ１は、無線回路２から出力された高周波電気信号を電波に変換して送信する。無線回路２は、制御部９の指示に基づき、アンテナ１で受信した高周波電気信号を復調し、符号復号処理部３に入力する。また無線回路２は、符号復号処理部３の出力信号に変調処理を施し、高周波電気信号に変換してアンテナ１に出力する。
【００１１】
符号復号処理部３は、制御部９の制御に従って無線回路２の出力信号に復号処理を施し、音声データはレシーバ５に出力し、文字や画像データは制御部９に出力する。また、符号復号処理部３は、マイク４から入力されたユーザの声またはユーザがキー入力部７を操作して編集した文字や画像データに符号化処理を施し、無線回路２を通じてアンテナ１から送信する。
【００１２】
制御部９は、符号復号処理部３，無線回路２及びアンテナ１を使用して着信待ちを行う。着信があった場合、スピーカ１０からアラーム等の着信音またはメロディを発してユーザに着信があったことを通知すると共に、発信元の電話番号または電子メールアドレスを表示部６に表示する。そして、ユーザがキー入力部７を操作することにより、通話または受信した電子メールが閲覧できるように符号復号処理部３，無線回路２，表示部６を制御する。
【００１３】
また、制御部９は、ユーザがキー入力部７を操作して入力した電話番号や電子メールを表示部６に表示すると共に、符号復号処理部３，無線回路２を制御して発呼を行い、相手先との通話または電子メールの送受信を行う。さらに制御部９は、撮影部１１から出力された撮影画像を表示部６に表示すると共に、ＪＰＥＧ  （Ｊｏｉｎｔ  Ｐｈｏｔｏｇｒａｐｈｉｃ  Ｅｘｐｅｒｔｓ  Ｇｒｏｕｐ）等の静止画ファイルやＭＰＥＧ（Ｍｏｖｉｎｇ  Ｐｉｃｔｕｒｅ  Ｅｘｐｅｒｔｓ  Ｇｒｏｕｐ）等の動画ファイルを生成し、記憶部８や記憶媒体１２に保存させる。
【００１４】
ユーザがキー入力部７を操作することによりメールを作成して送信する場合、ユーザは記憶部８に保存されている名前、電話番号、メールアドレス等の個人情報を管理するアドレス帳からメール送信先を選択する。本実施形態では、このアドレス帳にユーザが予め送信先端末が受信可能な画像フォーマット、画像サイズ、ファイルサイズ情報を登録する。作成したメールに画像ファイルを添付して送付する場合は、ユーザがアドレス帳から送信先を選択した後、送信先端末が受信可能な画像フォーマット、画像サイズ、ファイルサイズ情報を取得し、その情報に従ってデータ変換部１３にて送信先端末で表示可能な画像ファイルに自動的に変換して送付する。なお、データ変換部１３は、ハードウェアで実現しても構わないし、ソフトウェアで実現しても構わない。
【００１５】
図２に、アドレス帳プロファイル設定例を示す。５０はアドレス帳プロファイル設定画面例である。本実施形態では、名前５１、読み５２、５３の電話番号１、５４の電話番号２、５５のメールアドレス１、５６のメールアドレス２、５７のＭＥＭＯを設定できる。アドレス帳プロファイル設定画面５０において、５５のメールアドレス１若しくは５６のメールアドレス２を選択すると、メールアドレス設定画面６０に移行する。
【００１６】
メールアドレス設定画面６０では、メールアドレス６１と、このメールアドレスに対して画像添付メールを送付する際に変換処理を行うか否かを設定する添付変換有無設定６２と、送信先端末で表示可能なフォーマットに変換するための情報を登録する添付変換設定６３を設定する。添付変換有無設定６２は、携帯端末向け画像サイズの画像ファイルを添付する携帯モードと、ＰＣ等向けの高精細な画像ファイルを添付するＰＣモードのそれぞれ個別に設定できる。このように、複数のモードを設けることにより、ユーザは携帯あるいはＰＣに合わせて設定を行うことができる。
【００１７】
携帯モードとＰＣモードそれぞれにおいて、添付変換有無設定６２を「無し」とした場合は、添付されるファイルに対し何の変換処理を行わず、そのままメールを送付する。添付変換有無設定６２を「有り」とした場合は、添付変換設定６３で設定した内容に従い、添付ファイルを送信先端末で表示可能なフォーマットに変換して送信する。メール設定画面６０において添付変換設定６３を選択すると、添付変換設定画面６４に移行する。
【００１８】
添付変換設定画面６４では、送信先端末で表示可能なフォーマットに変換する為の情報として、通信キャリア設定６５、画像種類設定６６、添付画像サイズ設定６７、添付ファイルサイズ設定６８、自動変換設定６９を設定する。これら全ての設定を行う必要はなく、例えば通信キャリア設定６５がされていれば、画像種類設定６６、添付画像サイズ設定６７、添付ファイルサイズ設定６８の項目が設定されていなくても添付画像変換処理を行うことができる。
【００１９】
添付変換設定画面６４において、通信キャリア設定６５を選択すると、通信キャリア設定画面７０に移行する。通信キャリア設定画面７０には、主要な携帯電話通信キャリア群７１が表示され、設定中メールアドレスの通信キャリアを選択する。主要な携帯電話通信キャリア群７１に当てはまる項目が無い場合は、その他７２を選択する。通信キャリアがユーザにより選択されると、通信キャリアの標準となっている画像種類、サイズ等に設定する。このように自動的に標準設定を行うことにより、ユーザは画像種類設定６６、添付画像サイズ設定６７等の各設定を一つずつ行う必要がなく、使い勝手を向上することができる。キャリア標準設定の各条件は、記憶部８に予め記憶しておいたものを読み出しても良いし、インターネット等を用いてダウンロードすることにより取得しても良い。例えば、通信キャリアが増えた場合であっても、インターネットを用いることにより、キャリア標準設定条件を取得することができる。
【００２０】
なお、標準設定を行う前に「キャリア標準設定を行いますか？  ＹＥＳ／ＮＯ」等の表示を行い、ユーザの確認を得た場合にのみ設定を行うようにしてもよい。これにより、ユーザの意思に反して設定されることを防止することができる。ユーザから「ＮＯ」の回答があった場合には設定項目を一覧表示し、ユーザから選択された項目については、ユーザ入力に応じて設定を行う。各項目の設定方法については後述する。一方、選択されなかった項目はキャリア標準の設定を行う。これにより、ユーザは必要な項目のみ好みに合わせて設定を行うことができる。
【００２１】
なお、メールアドレスから自動的に通信キャリアを判断するようにし、ユーザへの通信キャリア設定要求を省略するようにしてもよい。これにより、ユーザの手間を省くことができ、使い勝手を向上することができる。また、通信キャリアに限定せず、ユーザが携帯電話の機種名を入力した場合にも、機種に対応する標準設定を行うようにしてもよい。
【００２２】
次に、各項目の設定を行う方法を説明する。添付変換設定画面６４で画像種類設定６６を選択すると、画像種類設定画面７３へ移行する。画像種類設定画面７３では、受信側端末で表示可能な画像フォーマットを設定する。画像種類設定画面７３において、ＪＰＥＧ、ＰＮＧ（Ｐｏｒｔａｂｌｅ  Ｎｅｔｗｏｒｋ  Ｇｒａｐｈｉｃｓ）、ＢＭＰ（Ｂｉｔ  ＭａＰ）等の画像フォーマット群７５を表示する。ユーザが表示されたフォーマット群７５から１つを選択すると、選択されたフォーマットに設定する。なお、図２に示した画像フォーマット群７５は例であって、これに限定するものではない。また、ユーザが画像フォーマット群７５に画像フォーマットを追加できるようにすることにより、更に使い勝手を向上することができる。
【００２３】
なお、キャリア標準設定７４をユーザが選択した場合には、通信キャリアの入力要求画面を表示させ、ユーザが入力したキャリアに対応する標準設定を行う。あるいは、アドレスに対応するキャリアの標準設定を自動的に行ってもよい。これによれば、ユーザがどの画像フォーマットを選択してよいのか分からない場合であっても、キャリアに対応したフォーマットを選択することができる。また、「設定しない」７６をユーザが選択した場合には、画像フォーマットを変換しないようにする。これにより、ユーザの意思に反して画像フォーマットが変換されることを防止することができる。
【００２４】
添付変換設定画面６４で添付画像サイズ設定６７を選択すると、画像サイズ設定画面８０へ移行する。画像サイズ設定画面８０では、添付した画像ファイルが送信先携帯端末で表示可能な最大表示サイズを設定する。画像サイズ設定画面８０には、ＱＶＧＡ（Ｑｕａｒｔｅｒ  ＶＧＡ：２４０×３２０ドット）、ＱＣＩＦ（Ｑｕａｒｔｅｒ  Ｃｏｍｍｏｎ  Ｉｎｔｅｒｍｅｄｉａｔｅ  Ｆｏｒｍａｔ：１４４×１７６ドット）等の画像サイズ群７８を表示する。なお、図２に示した画像サイズ群７８は例であって、これに限定するものではない。また、ユーザは、キー入力により画像サイズ群７８に画像サイズを追加できる。このように追加できるようにすることにより、送信先に合わせて様々なサイズ設定をすることができ、使い勝手を向上することができる。また、その他７９をユーザが選択した場合、画像サイズ群７８に表示されていない、他の画像サイズ例を表示する。これにより、ユーザがキーによりサイズを入力しなくても、様々なサイズ設定をすることができる。
【００２５】
また、画像種類設定と同様、キャリア標準設定７７を設けることにより、画像フォーマットを選択してよいのか分からない場合であっても、キャリアに対応したフォーマットを選択することができる。また、「設定しない」８１を設けることにより、ユーザの意思に反して画像フォーマットが変換されることを防止することができる。
【００２６】
添付変換設定画面６４で添付ファイルサイズ設定６８を選択すると、添付ファイルサイズ設定画面８２へ移行する。添付ファイルサイズ設定画面８２では、送信先端末が受信可能な最大ファイルサイズを設定する。ファイルサイズ設定画面８２には、ファイルサイズ選択群８４を表示する。また、画像種類設定と同様、キャリア標準設定８３を設けることにより、ユーザが添付ファイル制限を知らない場合であっても、キャリアに対応したファイルサイズを選択することができる。また、「設定しない」８５を設けることにより、ユーザの意思に反して画像フォーマットが変換されることを防止することができる。
【００２７】
添付変換設定画面６４で自動変換設定６９を選択すると、自動変換設定画面８６へ移行する。自動変換設定画面８６では、添付画像を送信する際に添付画像ファイルの変換処理を自動で行うか、毎回ユーザに確認を求めるかを設定する。自動変換８７を設定した場合は、添付画像を送信する際にユーザに確認を求めず自動的に設定された画像フォーマットに変換する。送信時確認８８を選択した場合は、ユーザに添付画像ファイルを設定された画像フォーマットに変換するか否かを確認するメッセージを表示し、ユーザがメール送信毎に確認できるようにする。また、拡大設定８９では、添付画像ファイルの画像サイズが送信先の表示画面サイズより小さい場合に、拡大処理して送信するか、拡大せずそのままの画面サイズで送信するかを設定することができる。
【００２８】
なお、以上の実施形態では、添付変換設定画面６４から設定を行う項目をそれぞれ選択してから、各項目の内容を設定していったが、これに限定するものではない。例えば、画像種類設定画面７３で画像フォーマット設定を行った後に「画像種類の設定を行いますか？」と問合せ表示を行い、ユーザが希望した場合は画像サイズ設定画面８０に移行するようにしても良い。これにより、ユーザはいちいち添付変換設定画面６４に戻ることなく、次の設定画面に移行することができるため、効率よく設定を行うことができる。
【００２９】
図３は、第１の実施形態における携帯電話のメール送信を示すフローチャートである。メール送信が指示されると、メール送信処理を開始する。まず、画像ファイルが添付されているか否かを判断する（Ｓ１０１）。画像ファイルが添付されていない場合は、そのままメールを送信する（Ｓ１１２）。画像ファイルが添付されている場合は、添付画像ファイルの情報を取得し（Ｓ１０２）、添付変換有無設定６２が「有り」／「無し」を確認する（Ｓ１０３）。添付変換有無設定６２が「無し」であれば、そのままメールを送付する（Ｓ１１２）。
【００３０】
添付変換有無設定６２が「有り」であれば添付変換設定６３で設定した各種情報を取得する（Ｓ１０４）。つぎに、添付画像ファイルの画像フォーマットと画像種類設定画面７３で設定した画像フォーマットを比較し、画像フォーマットを変換するか否かを判断する（Ｓ１０５）。添付画像ファイルの画像フォーマットと画像種類設定画面７３で設定した画像フォーマットが一致しない場合は、添付画像ファイルを画像種類設定画面７３で設定した画像フォーマットに変換し（Ｓ１０７）、Ｓ１０６へ移行する。添付画像ファイルの画像フォーマットと画像種類設定画面７３で設定した画像フォーマットが一致している場合、若しくは「設定しない」７６が設定されている場合は、画像フォーマットを変換せずにＳ１０６へ移行する。
【００３１】
Ｓ１０６では、添付画像ファイルの画像サイズ（ドット数）と画像サイズ設定画面８０で設定した画像サイズを比較する。添付画像ファイルの画像サイズが画像サイズ設定画面８０で設定した画像サイズよりも大きい場合や、拡大設定８９が「拡大する」で設定されている場合は、画像サイズ設定画面８０で設定した画像サイズになるようスケーリング処理を行う（Ｓ１０８）。
【００３２】
つぎに、添付画像ファイルのファイルサイズと添付ファイルサイズ設定画面８２で設定したファイルサイズ制限値を比較する（Ｓ１０９）。添付画像ファイルサイズの方が大きい場合、ユーザに画像ファイルの圧縮率を上げても良いか否かの許可を求める表示を行い、ユーザの入力結果から画像ファイルの圧縮率を変更するか否かを判断する（Ｓ１１０）。そして、画像ファイルを圧縮しても良いと判断した場合（Ｓ１１０  Ｙｅｓ）、画像ファイルの圧縮率を変更する（Ｓ１１３）。不可逆圧縮された画像ファイルフォーマットであるＪＰＥＧ等では、画質を下げる事で画像ファイルサイズの低減が可能である。Ｓ１１３では、画像種類を変更せずに圧縮率を上げて画像ファイルを再生成させる。圧縮処理後、画像ファイルを添付したメールを送信する（Ｓ１１２）。
【００３３】
一方、画像ファイルの圧縮率を変えないと判断した場合（Ｓ１１０  Ｎｏ）、添付画像ファイルの画像サイズを小さくする事で、画像ファイルサイズを低減させるか否かを判断する（Ｓ１１１）。画像サイズを小さくする場合（Ｓ１１１  Ｙｅｓ）には、添付ファイルサイズ設定画面８２で設定した制限値以下になるように、縮小処理若しくは切り出し処理を行う（Ｓ１１４）。
【００３４】
画像サイズを小さくしないとした場合（Ｓ１１１  Ｎｏ）、処理を行わずに、画像ファイルを添付してメールを送信する（Ｓ１１２）。なお、添付画像ファイルのファイルサイズが制限値を超えているため、受信側端末で受信あるいは表示できない恐れがある旨の警告表示を行い、画像ファイルを処理しないままで送信するか否かをユーザに確認した上で、送信を行うようにしても良い。また、警告表示とともに、再度画像ファイルの圧縮率あるいは画素数の変更を行うか否かを問い合わせ、ユーザが変更を選択した場合には、Ｓ１１３あるいはＳ１１４で画像処理を行うようにしても良い。これにより、ユーザに受信失敗の可能性を知らせるとともに、画像処理を促すことができる。
【００３５】
本実施形態では、添付画像ファイルのファイルサイズが設定値より大きい場合に、ユーザにファイルサイズを小さくするか否か、サイズを小さくする方法を選択させるようにしているが、予めアドレス帳に設定することにより、ユーザはいちいち選択する手間を省くことができる。また、画像ファイルが圧縮できない方式である場合やユーザにより画像圧縮不可が登録されている場合には、Ｓ１１０を省略し、Ｓ１１１に移行するようにしても良い。
【００３６】
図４を用いて、携帯電話Ａから携帯電話Ｂ、携帯電話Ｃにファイルが添付されたメールを送信する場合について説明を行う。本実施形態では、携帯電話Ａの表示画面４３の表示領域サイズは２２０×１７６で、標準画像フォーマットはＪＰＥＧであるとする。また、携帯電話Ｂの表示画面４４の表示領域のサイズは１６０×１２０であり、画像フォーマットがＪＰＥＧの画像のみ表示可能である。携帯電話Ｃの表示画面４５の表示領域のサイズは２２０×１７６であり、画像フォーマットがＰＮＧのみ表示可能である。携帯電話Ａの記憶部に記憶されたアドレス帳には、携帯電話Ｂと携帯電話Ｃへファイルを送付する場合の添付設定が登録されている。
【００３７】
携帯電話Ａのユーザから、画面サイズ２２０×１７６で、画像フォーマットＪＰＥＧの画像ファイルを添付したメールの送信指示がされると、携帯電話Ａはデータ変換部において画像ファイルを添付設定に応じて自動的に変換した後に、携帯電話Ｂ、Ｃにメールを送付する。具体的には、携帯電話Ｂへ送信する画像ファイルの画像サイズを２２０×１７６から１６０×１２０に変換し、携帯電話Ｃへ送信する画像ファイルの画像フォーマットをＪＰＥＧからＰＮＧ形式のファイルに変換する。
【００３８】
このように、本実施形態では、アドレス帳にメールアドレスと対応させて、画像ファイル形式や画像サイズ等の添付設定を記憶し、記憶した添付設定に応じて自動的に画像ファイルの変換を行うことができるため、画像ファイルを送信する毎にいちいち変換指示を行う必要がなく、使い勝手を向上することができる。また、本実施形態では、添付設定を行う際に、通信キャリアやメールアドレスを入力することによりキャリア標準設定を行うことができるため、すべての項目をいちいち登録する手間を省くことができる。
【００３９】
次に、図５から図７を用いて第２の実施形態を説明する。本実施形態は、メールを使用して、添付変換設定を含めたアドレス帳プロファイルの設定を行うものである。尚、本実施形態における携帯電話の構成は、図１に示した携帯電話の構成と等しいため、説明を省略する。
【００４０】
図５に、本実施形態におけるアドレス帳プロファイル設定に用いるメール例を示す。図５において、２００はメール送信日時であり、２０１は送信者メールアドレスであり、２０２はメールタイトルであり、２０３はメール本文であり、２０４はプロファイル設定識別コードであり、２０５はプロファイル設定パラメータである。
【００４１】
アドレス帳プロファイル登録用のメールを送信する場合、メールのタイトルに特定の件名をつけてメールを送信する。例えば、メールタイトル２０２を「＊＊＊添付設定＊＊＊」とする事で、プロファイル登録用のメールである事を識別させることができる。メール本文にはアドレス帳のどの項目に対する設定内容かを示すプロファイル設定識別コード２０４と、それに対する設定内容であるプロファイル設定パラメータ２０５を記述する。なお、図５の例では、一つの行毎に一つの設定項目のみを記述しているが、項目と項目区切りが明確であれば、続けて記述してあっても構わない。また、図５に示した識別コードは一例であり、これに限定するものではなく、他の記号群や文字群を用いても構わない。図５のメール本文２０３を説明する前に、まず図６を説明する。
【００４２】
図６にアドレス帳の設定項目とプロファイル設定識別コードの比較表を示す。図６において、２１０の列は識別番号であり、２１１の列はメニュー項目Ａであり、アドレス帳プロファイル設定画面５０のメニューに対応した項目である。２１２の列はメニュー項目Ｂであり、アドレス帳プロファイル設定画面５０のメニュー下層の主に添付変換設定画面６４のメニューに対応した項目である。２１３はメニュー項目Ｃであり、メニュー項目Ｂ下層のメニューに対応した項目である。２１４の列は設定パラメータである。
【００４３】
図５に示した例のように、メール本文に＋１＋日立太郎が記述してある場合、既に登録してある情報の中に「日立太郎」で登録されているプロファイルがなければ新規に「日立太郎」のプロファイルを追加する。既に登録されてある場合は、ユーザに「日立太郎」のプロファイルが既に存在している事を知らせ、プロファイルの修正を行うか選択させる。このように通知を行うことにより、ユーザの意思に反して上書きが行われることを防止することができる。
【００４４】
メール本文に＋２＋ヒタチタロウと記述がある場合は、＋１＋で名前を登録したプロファイルの読み５２にヒタチタロウを登録する。同様に＋３＋０９０２３４５６ｘｘｘとある場合は、電話番号１に０９０２３４５６ｘｘｘを登録する。＋５１＋はメールアドレス１に対するメールアドレスに設定する事を示し、メール本文に＋５１＋ｖｗｘｙｚ＠ｘｘｘ．ｎｅ．ｊｐと記述してある場合、メールアドレス１に対するメールアドレスにｖｗｘｙｚ＠ｘｘｘ．ｎｅ．ｊｐを登録する。＋５２１＋は携帯モードの添付変換有無設定６２の設定を示し、＋５２１＋Ｙと記述してある場合は、携帯モードの添付変換有無設定６２が「有り」と登録する。＋５３１＋は通信キャリア設定６５を登録する事を示し、＋５３１＋Ａと記述してある場合は、通信キャリアとしてＡ社を登録する。＋５３２＋は添付変換設定６３の画像種類設定を行う事を示し、＋５３２＋Ａと記述してある場合は、画像種類設定６６にキャリア標準を設定する。＋５３３＋は添付変換設定６３の画像サイズ設定を行う事を示し、＋５３３＋Ｂと記述してある場合は、画像サイズ設定６７に１７６×２２０を設定する。
【００４５】
なお、図５、図６は一例であって、これに限定するものではない。例えば、電話番号情報を省略しても良いし、住所等のほかの情報を追加しても良い。
【００４６】
図７は、アドレス帳プロファイル登録用のメールを用いた登録方法を示すフローチャートである。携帯電話でメールを受信した場合、メールタイトルを取得し（Ｓ２２０）、メールタイトルが「＊＊＊添付設定＊＊＊」等の特定タイトルであるかを調べ、受信したメールがプロファイル設定用のメールであるかを判断する（Ｓ２２１）。プロファイル設定用メールではないと判断すると、通常のメールとして受信処理をする（Ｓ２３１）。
【００４７】
プロファイル設定用メールと判断すると、メール本文中から名前、電話番号、メールアドレス等のプロファイルを管理するのに用いる情報を取得する（Ｓ２２２）。そして、メール本文中の名前、電話番号、メールアドレス等の情報から登録しようとしているプロファイルが既にアドレス帳に登録されていなかどうか検索を行う（Ｓ２２３）。既に登録されているプロファイルと判断した場合には、ユーザにプロファイルを上書き登録するか否かを問い合わせる表示を行い、上書き登録が指示されると（Ｓ２２４  Ｙｅｓ）、メール本文情報の取得を行う（Ｓ２２６）。一方、上書き拒否が指示されると（Ｓ２２４  Ｎｏ）、新規登録するか否かをユーザに選択させる（Ｓ２２５）。新規登録する場合はＳ２２６へ移行し、新規登録しない場合はＳ２３１へ移行する。
【００４８】
Ｓ２２６において行毎に本文の情報を取得した後、取得した本文情報が、有効なプロファイル設定識別コード２０４とプロファイル設定パラメータ２０５の組み合わせになっているか否かを判別する（Ｓ２２７）。記述が有効であれば、図６で説明したプロファイル設定識別コード２０４に従い、対応する項目にプロファイル設定パラメータ２０５で記述された情報を登録する（Ｓ２２８）。記述が無効であれば、その行のデータを無視する（Ｓ２２９）。Ｓ２３０において、本文中のデータに続きがあるか否かを判断し、残っている場合はＳ２２６へ移行し、次行の本文を取得する。
【００４９】
以上のように本実施形態では、プロファイル情報が記載されたメールを送受信することにより、容易にアドレス帳のプロファイルを追加修正する事ができる。なお、本実施形態では、メール本文をユーザがキー等の入力部を用いて入力する事を前提に説明したが、プロファイル情報を予め記憶部に記憶しておき、ユーザがプロファイル情報の送信を指示すると、記憶部から読み出し、自動的に本文を作成するようにしても良い。ユーザはいちいちメール本文を作成する手間を省略することができ、使い勝手を向上することができる。
【００５０】
また、本実施形態では本文中にテキスト形式でプロファイルが記載されている例を示したが、添付ファイルに記載されていても良いし、テキスト形式ではなく、例えばバイナリ形式や別のフォーマットであっても構わない。
【００５１】
次に図８から図１０を用いて第３の実施形態を説明する。本実施形態では、近距離通信部を用いてプロファイル情報の登録を行う。
【００５２】
図８に第３の実施形態における携帯電話を図８に示す。図１に示した携帯電話と同等の部分には同一符号を付し、重複する説明は省く。本実施形態の携帯電話は、近距離通信部１４を備えている。近距離通信部としては、例えば赤外線送通信装置や、Ｂｌｕｅｔｏｏｔｈ（Ｅｒｉｃｓｓｏｎ社の商標）等の微弱電波無線通信装置が考えられるが、本実施形態では赤外線送通信装置を用いた場合を例にとって説明する。
【００５３】
プロファイル送信側の携帯電話には、予め記憶部８もしくは記憶媒体１２に送信側のプロファイルを格納しておく。送信側のプロファイルは、メニュー形式から自分のプロファイルを選択して設定しても良いし、ユーザがキー入力部７を用いて設定しても構わない。
【００５４】
自分のプロファイルを他の携帯電話に送信する場合、送信側の携帯電話と受信側の携帯電話の近距離通信部１４が良好な通信状態となるように配置する。例えば、近距離通信部１４が赤外線送通信装置の場合では、送信側携帯電話と受信側携帯電話の近距離通信部１４間の距離を２０ｃｍ程度とし、間に赤外線を遮断するような障害物が無い状態とする。送信側携帯電話の制御部９は定められたプロトコルに従い、近距離通信部１４に送信側携帯電話が対応している通信種類、通信速度等のデータを送る。
【００５５】
近距離通信部１４では、制御部９から送られたデータを符号化し、光信号として送信する。受信側携帯電話の近距離通信部１４では、送信側携帯電話から送信された光信号を受信し、複合化して制御部９に受信データを送る。受信側携帯電話から、送信側携帯電話と受信側端末装置の双方で対応している通信種類や通信速度を示す情報を送り返した後、送信側携帯電話からプロファイル情報を受信側携帯電話に送信する。受信側携帯電話では、プロファイル情報が送信されてきた事を受信側ユーザに通知し、送信されたプロファイル情報をアドレス帳に登録するか破棄するかを選択させる。
【００５６】
図９にプロファイル送信時のフローチャートを示す。送信側携帯電話からプロファイルの送信を行う場合、まず送信側プロファイルが設定されているか否かを確認する（Ｓ２５１）。送信するプロファイルが設定されていれば、受信側携帯電話との通信を開始する（Ｓ２５２）。送信側プロファイルが設定されていない場合は、送信側ユーザに送るべきプロファイルが設定されてない事を通知し（Ｓ２５５）、プロファイル送信処理を終了する（Ｓ２５７）。
【００５７】
受信側携帯電話への通信開始後（Ｓ２５２）、受信側携帯電話からの応答を確認する（Ｓ２５３）。受信側携帯電話からの応答が有り、送信側と受信側の携帯電話で正常な送受信が確立できれば、送信側携帯電話から受信側携帯電話にプロファイルを送信し（Ｓ２５４）、データ送信終了を確認して通信を終了する（Ｓ２５７）。受信側携帯電話からの応答がない場合は（Ｓ２５３  Ｎｏ）、送信側ユーザに受信側携帯電話との通信が確立出来なかった事を通知し（Ｓ２５６）、送信処理を終了する（Ｓ２５７）。
【００５８】
図１０にプロファイル受信時のフローチャートを示す。受信側携帯電話では、近距離通信部１４へのデータ受信確認後（Ｓ２６１）、送信側携帯電話へ通信種類、通信速度を示す情報を送り返し、送信側携帯電話との通信確立する（Ｓ２６２）。その後、送信側携帯電話から送信されたプロファイルを受信し、記憶部８若しくは記憶媒体１２内のバッファ領域に格納する（Ｓ２６３）。そして、ユーザに受信したプロファイルをアドレス帳に登録するか否かを確認するための表示を行う（Ｓ２６４）。ユーザが登録を希望する場合（Ｓ２６４  Ｙｅｓ）、受信したプロファイルをアドレス帳に新規登録或いは上書き修正登録を行い（Ｓ２６５）、プロファイル受信処理を終了する（Ｓ２６７）。一方、ユーザが登録を希望しない場合（Ｓ２６４  Ｎｏ）、記憶部８若しくは記憶媒体１２内のバッファ領域に格納したプロファイル情報を破棄し（Ｓ２６６）、プロファイル受信処理を終了する（Ｓ２６７）。
【００５９】
なお、近距離通信部１４は、通常時は近距離通信部１４の動作を止め、ユーザによりキー入力部７が操作された時等に近距離通信部１４の動作を開始することにより、不要なプロファイルの受信防止や消費電力を低減することができる。
【００６０】
【発明の効果】
本発明によれば、相手端末に適応した画像データを送信可能な携帯端末を提供することができる。
【図面の簡単な説明】
【図１】第１の実施形態における携帯電話の構成図を示す図である。
【図２】第１の実施形態における携帯電話のアドレス帳プロファイル設定例を示す図である。
【図３】第１の実施形態におけるメール送信時フローチャートを示す図である。
【図４】第１の実施形態における添付画像ファイル送付例を示す。
【図５】第２の実施形態におけるアドレス帳プロファイル設定に用いるメール例を示す。
【図６】第２の実施形態におけるアドレス帳の設定項目とプロファイル設定識別コードの比較表を示す図である。
【図７】第２の実施形態におけるメールからのアドレス帳プロファイル登録のフローチャートを示す図である。
【図８】第３の実施形態における携帯電話を図８に示す図である。
【図９】第３の実施形態におけるプロファイル送信時フローチャートを示す図である。
【図１０】第３の実施形態におけるプロファイル受信時フローチャートを示す図である。
【符号の説明】
１…アンテナ、２…無線回路、３…符号復号処理部、４…マイク、５…レシーバ、６…表示部、７…キー入力部、８…記憶部、９…制御部、１０…スピーカ、１１…撮影部、１２…記憶媒体、１３…データ変換部、１４…近距離通信部、４３、４４、４５…表示画面、５１…名前、５２…読み、５３…電話番号１、５４…電話番号２、５５…メールアドレス１、５６…メールアドレス２、５７…ＭＥＭＯ、６０…メールアドレス設定画面、６１…メールアドレス、６２…添付変換有無設定、６３…添付変換設定、６４…添付変換設定画面、６５…通信キャリア設定、６６…画像種類設定、６７…添付画像サイズ設定、６８…添付ファイルサイズ設定、６９…自動変換設定、７０…通信キャリア設定画面、７１…主要な携帯電話通信キャリア群、７２…その他、７３…画像種類設定画面、７４…画像種類キャリア標準設定、７５…各種画像フォーマット群、７６…設定しない、７７…画像サイズキャリア標準設定、７８…画像サイズ群、７９…その他、８０…画像サイズ設定画面、８１…設定しない、８２…添付ファイルサイズ設定画面、８３…ファイルサイズキャリア標準設定、８４…ファイルサイズ選択群、８５…設定しない、８６…自動変換設定画面、８７…自動変換、８８…送信時確認、８９…拡大設定、２００…メール送信日時、２０１…送信者メールアドレス、２０２…メールタイトル、２０３…メール本文、２０４…プロファイル設定識別コード、２０５…プロファイル設定パラメータ、２１０…識別番号、２１１…メニュー項目Ａ、２１２…メニュー項目Ｂ、２１３…メニュー項目Ｃ、２１４…設定パラメータ
【図１】
2004297434.tif 000003
【図２】
2004297434.tif 000004
【図３】
2004297434.tif 000005
【図４】
2004297434.tif 000006
【図５】
2004297434.tif 000007
【図６】
2004297434.tif 000008
【図７】
2004297434.tif 000009
【図８】
2004297434.tif 000010
【図９】
2004297434.tif 000011
【図１０】
2004297434.tif 000012